(57)【特許請求の範囲】
【請求項１】
眼底を観察するファインダ光学系を備えた観察光学系を有するとともに複数の撮影装置が装着可能な装置本体と、この装置本体に内蔵される内部タイマと、該内部タイマの計時時間情報を表示する前記装置本体内部の表示部と、該表示部に表示された計時時間情報を前記ファインダ光学系にリレーするリレー光学系とを備え、前記撮影装置である３５mmカメラおよびＴＶカメラを装置本体に装着して、前記３５mmカメラで撮影を行うとき前記内部タイマを使用し、前記ＴＶカメラで撮影を行うとき前記装置本体外部に前記内部タイマとは別個に設けられた外部タイマを使用する眼底カメラにおいて、
前記複数の撮影装置の中からどの撮影装置で撮影を行うかを選択する撮影装置選択手段と、
この撮影装置選択手段の選択結果に応じて前記内部タイマ及び外部タイマのいずれかを選択し、この選択したタイマを操作するとともに、該タイマの計時時間情報を前記表示部に表示するタイマ操作手段とを設けたことを特徴とする眼底カメラ。
【請求項２】
前記タイマ操作手段は、前記撮影装置選択手段の選択結果に応じて前記内部タイマ及び外部タイマのいずれかを選択し、この選択したタイマを操作するとともに、該タイマの計時時間情報を前記表示部および操作パネル上の表示部に表示させることを特徴とする請求項１に記載の眼底カメラ。
【請求項３】
前記表示部は、ＬＥＤ表示部であることを特徴とする請求項１又は２のいずれか一項に記載の眼底カメラ。
【請求項４】
眼底を観察する観察光学系を有するとともに複数の撮影装置が装着可能な装置本体と、この装置本体に内蔵される内部タイマとを備え、前記撮影装置である３５mmカメラおよびＴＶカメラを装置本体に装着して、前記３５mmカメラで撮影を行うとき前記内部タイマを使用し、前記ＴＶカメラで撮影を行うとき前記装置本体外部に前記内部タイマとは別個に設けられた外部タイマを使用する眼底カメラにおいて、
前記複数の撮影装置の中からどの撮影装置で撮影を行うかを選択する撮影装置選択手段と、
この撮影装置選択手段の選択結果に応じて前記内部タイマ及び外部タイマのいずれかを選択するとともにこの選択したタイマを操作するタイマ操作手段とを備えるとともに、
可視蛍光撮影用ＴＶカメラおよび赤外蛍光撮影用ＴＶカメラが装着可能であり、該２つのＴＶカメラのいずれか一方に選択的に前記装置本体からの眼底像をリレーするＴＶリレーレンズユニットを備え、前記各ＴＶカメラのそれぞれに対応して前記外部タイマが２つ設けられたことを特徴とする眼底カメラ。
【請求項５】
前記撮影装置選択手段の選択結果に応じて、前記２つの外部タイマのうち対応する一方の外部タイマを作動させることを特徴とする請求項４に記載の眼底カメラ。
【請求項６】
前記ＴＶリレーレンズユニットは、両ＴＶカメラのいずれか一方に眼底像形成光束をリレーする切換ミラーを備え、該切換ミラーは、前記撮影装置選択手段の選択結果に応じて切り換わることを特徴とする請求項４に記載の眼底カメラ。
【発明の詳細な説明】
【０００１】
【産業上の利用分野】
眼底を撮影する複数の撮影装置が装着可能となっている眼底カメラに関する。
【０００２】
【従来技術】
従来の眼底カメラは、撮影装置（３５mmカメラ、ＴＶカメラ等）を取り付けるためのマウントを複数個備え、一方に３５mmカメラ、他方にＴＶカメラといった具合に、複数の撮影装置を装着可能とした構成を取るものが多い。
【０００３】
また、従来の眼底カメラは、蛍光撮影のための蛍光剤を被検者の静注してからの経過時間を計測するタイマー（以下、内部タイマという）と、この内部タイマの計測時間を表示する表示部の像をファインダ光学系に投影すると共に３５mmカメラのフィルム面に結像させるリレー光学系とを装置本体内に備えている。このリレー光学系により、内部タイマの計時時間をファインダで観察することができるとともに、３５mmカメラのフィルム面に計時時間を写し込むことができる。また、内部タイマの計時時間は、アライメント用のジョイスティックの側部に隣接した位置に設けられた操作パネルのタイマー表示部にも表示される。
【０００４】
この内部タイマの計時を開始させるためのスイッチ（以下、タイマースイッチという）は、撮影モード選択スイッチや撮影装置選択スイッチとともに上記操作パネルに設けられるのが普通である。したがって、検者は、３５mmカメラで蛍光撮影を行うときは、この操作パネルで撮影モードや撮影装置を選択した後、被検者への静注のタイミングを見計らってタイマースイッチを押すことにより、蛍光撮影の準備操作を完了することができる。すなわち、操作パネル付近から離れることなく全準備操作を完了することができる。
【０００５】
一方、ＴＶカメラにより蛍光撮影を行う場合には、内部タイマをＴＶカメラの撮像面に投影する代わりに画像記録装置（スチルビデオレコーダー等）が内蔵するタイマや、画像記録装置に外付け接続されたタイマー（以下、これらのタイマを外部タイマという）を使用し、この外部タイマの計時時間をＴＶカメラにより得られた画像に合成表示・記録することが多い。これは、ＴＶカメラの撮像面が小さいため（１／２インチが主流）、内部タイマの画像をＴＶカメラの撮像面に光学的に写し込むこととすると、肝心の眼底像を取り込むための撮像面の面積が少なくなるという不都合があるからである。
【０００６】
このため、ＴＶカメラによる撮影を行う場合には、被検者への蛍光剤の静注と同時にスチルビデオレコーダーの操作部に設けられたタイマースイッチや外付けの外部タイマー本体に設けられたタイマースイッチを押すことにより、外部タイマーをスタートさせていた。
【０００７】
【発明が解決しようとする課題】
このように、従来の眼底カメラでは、３５mmカメラで撮影する場合とＴＶカメラで撮影する場合とでは、タイマーをスタートさせるタイマースイッチが異なるので、タイマースイッチの操作が面倒であり、その操作性の面で問題があった。
【０００８】
また、上記眼底カメラでは、内部タイマの計時時間は上述の操作パネルのタイマー表示部で確認するが、外部タイマの計時時間は、画像記録装置の表示部で確認しなければならない。すなわち、撮影装置の種類によってタイマの計時時間を確認する位置が異なるので、非常に不便であり、その確認を誤ってしまう問題もあった。
【０００９】
この発明は、上記問題点に鑑みてなされたもので、その目的は、タイマースイッチの操作を必要としない、また、撮影装置の種類に拘わらずタイマの計時時間の確認位置が同じである眼底カメラを提供することにある。
【００１０】
【課題を解決するための手段】
上記目的を達成するため、請求項１の発明は、眼底を観察するファインダ光学系を備えた観察光学系を有するとともに複数の撮影装置が装着可能な装置本体と、この装置本体に内蔵される内部タイマと、該内部タイマの計時時間情報を表示する前記装置本体内部の表示部と、該表示部に表示された計時時間情報を前記ファインダ光学系にリレーするリレー光学系とを備え、前記撮影装置である３５mmカメラおよびＴＶカメラを装置本体に装着して、前記３５mmカメラで撮影を行うとき前記内部タイマを使用し、前記ＴＶカメラで撮影を行うとき前記装置本体外部に前記内部タイマとは別個に設けられた外部タイマを使用する眼底カメラにおいて、前記複数の撮影装置の中からどの撮影装置で撮影を行うかを選択する撮影装置選択手段と、この撮影装置選択手段の選択結果に応じて前記内部タイマ及び外部タイマのいずれかを選択し、この選択したタイマを操作するとともに、該タイマの計時時間情報を前記表示部に表示するタイマ操作手段とを設けたことを特徴とする。
【００１１】
請求項２の発明は、前記タイマ操作手段は、前記撮影装置選択手段の選択結果に応じて前記内部タイマ及び外部タイマのいずれかを選択し、この選択したタイマを操作するとともに、該タイマの計時時間情報を前記表示部および操作パネル上の表示部に表示させることを特徴とする。
【００１２】
請求項３の発明は、前記表示部は、ＬＥＤ表示部であることを特徴とする。
【００１３】
請求項４の発明は、眼底を観察する観察光学系を有するとともに複数の撮影装置が装着可能な装置本体と、この装置本体に内蔵される内部タイマとを備え、前記撮影装置である３５mmカメラおよびＴＶカメラを装置本体に装着して、前記３５mmカメラで撮影を行うとき前記内部タイマを使用し、前記ＴＶカメラで撮影を行うとき前記装置本体外部に前記内部タイマとは別個に設けられた外部タイマを使用する眼底カメラにおいて、前記複数の撮影装置の中からどの撮影装置で撮影を行うかを選択する撮影装置選択手段と、この撮影装置選択手段の選択結果に応じて前記内部タイマ及び外部タイマのいずれかを選択するとともにこの選択したタイマを操作するタイマ操作手段とを備えるとともに、可視蛍光撮影用ＴＶカメラおよび赤外蛍光撮影用ＴＶカメラが装着可能であり、該２つのＴＶカメラのいずれか一方に選択的に前記装置本体からの眼底像をリレーするＴＶリレーレンズユニットを備え、前記各ＴＶカメラのそれぞれに対応して前記外部タイマが２つ設けられたことを特徴とする。
【００１４】
請求項５の発明は、前記撮影装置選択手段の選択結果に応じて、前記２つの外部タイマのうち対応する一方の外部タイマを作動させることを特徴とする。
【００１５】
請求項６の発明は、前記ＴＶリレーレンズユニットは、両ＴＶカメラのいずれか一方に眼底像形成光束をリレーする切換ミラーを備え、該切換ミラーは、前記撮影装置選択手段の選択結果に応じて切り換わることを特徴とする。
【００１６】
【実施形態】
以下、この発明に係る眼底カメラの実施形態を図面に基づいて説明する。
【００１７】
図１に示す眼底カメラは、基台１０に取り付けられた本体１１を有し、この本体１１は基台１０とともにジョイスティック１２の操作によりベース台１３に対して前後左右方向に移動可能となっている。そして、基台１０と本体１１とベース台１３とで装置本体が構成される。１５はジョイスティック１２に設けた撮影スイッチである。
【００１８】
基台１１の上面には、ジョイスティック１２に隣接した位置に操作パネル２０が設けられており、この操作パネル２０には、ＩＣＧ撮影モード,ＦＡＧ撮影モードおよび通常撮影モードのいずれかを設定する撮影モード設定スイッチＳ1と、後述するタイマ２３,５７,１５７の計時を開始させるタイマスイッチＳ2と、後述するカメラ３０,５３,５４の内いずれかのカメラで撮影を行うかを選択する選択スイッチＳ3と、タイマの計時時間を表示する表示部２２とが設けられている。
【００１９】
基台１１またはベース台１３内には、内部タイマ２３と、ＣＰＵ等からなる制御装置２４とが設けられており、制御装置２４は、撮影モード設定スイッチＳ1やタイマスイッチＳ2等の操作に基づいて後述するタイマ２３,５７,１５７をスタートさせたり、各タイマ２３,５７,１５７の計時時間を表示部２２,１７１に表示させたりするタイマ操作手段としての機能を有している。また、制御装置２４は後述するクイックリターンミラー１５１や切換ミラー１５３,７３の跳ね上げや切換制御等も行う。
【００２０】
本体１１には、マウント１４を介して３５mmカメラ３０が着脱可能に装着されている。また、本体１１にはＴＶリレーレンズユニット５０が設けられており、このＴＶリレーレンズユニット５０にはマウント５１,５２を介して可視蛍光撮影用ＴＶカメラ５３と赤外蛍光撮影用ＴＶカメラ５４が着脱可能に装着されている。
【００２１】
可視蛍光撮影用ＴＶカメラ５３にはスチルビデオ装置５６が接続され、スチルビデオ装置５６は内蔵タイマ（外部タイマ）５７を備えている。スチルビデオ装置５６は、ＴＶカメラ５３が撮像する眼底像に内蔵タイマ５７の計時時間をスーパーインポーズして眼底像とともに記録する。
【００２２】
赤外蛍光撮影用ＴＶカメラ５４には外部タイマ１５７を介してビデオ装置１５８に接続され、ビデオ装置１５８はＴＶカメラ５４が撮像する眼底像に外部タイマ１５７の計時時間をスーパーインポーズして眼底像とともに記録する。
【００２３】
本体１１内には、被検眼Ｅの眼底を照明する照明光学系１００と、照明された眼底を観察・撮影する観察光学系１２０とが設けられている。
【００２４】
照明光学系１００は、観察用光源であるハロゲンランプ１０１と、コンデンサレンズ１０２と、撮影用光源であるキセノンランプ１０３と、コンデンサレンズ１０４と、反射ミラー１０５と、エキサイタフィルタ１０６,１０７と、被検眼の瞳孔と共役位置にあるリング開口１０８aを有するリング開口板１０８と、リレーレンズ１０９,１１０と、孔開きミラー１１１と、対物レンズ１１２とを有している。エキサイタフィルタ１０６,１０７は光路から離脱可能に配置されており、可視蛍光撮影（ＦＡＧ撮影モード）のときにはエキサイタフィルタ１０６のみが光路に挿入され、赤外蛍光撮影（ＩＣＧ撮影モード）のときにはエキサイタフィルタ１０７のみが光路に挿入され、通常の撮影モードのときには両エキサイタフィルタ１０６,１０７は光路から離脱される。
【００２５】
照明光学系１００は、眼底観察時にハロゲンランプ１０１が点灯してコンデンサレンズ１０２,１０４および反射ミラー１０５を介してリング開口板１０８を照射する。リング開口板１０８のリング開口１０８aを通った光束は、リレーレンズ１０９,１１０、孔開きミラー１１１および対物レンズ１１２を介して被検眼に入射する。リング開口板１０８と瞳孔とは共役位置にあるので、瞳孔上にリング開口像が形成され、このリング開口像により眼底が照明されることとなる。通常の眼底撮影時には、キセノンランプ１０３が点灯して上記と同様にして眼底を照明する。
【００２６】
観察光学系１２０は、対物レンズ１１２と、バリアフィルタ１２２,１２３と、合焦レンズ１２４と、撮影レンズ１２５とを備えている。バリアフィルタ１２２,１２３は光路から離脱可能に配置されており、ＦＡＧ撮影モードのときにはバリアフィルタ１２２のみが光路に挿入され、ＩＣＧ撮影モードのときにはバリアフィルタ１２３のみが光路に挿入され、通常の撮影モードのときには両バリアフィルタ１２２,１２３は光路から離脱される。
【００２７】
また、観察光学系１２０はファインダ光学系１５０と情報光学系（計時時間目視手段）１７０とを備えており、ファインダ光学系１５０はクイックリターンミラー１５１と視野レンズ１５２と切換ミラー１５３と接眼レンズ１５４とを有している。視野レンズ１５２と３５mmカメラ３０のフィルムＦとが共役位置にある。切換ミラー１５３は、ＦＡＧ撮影モードのとき、撮影スイッチ１５が押される毎に破線位置へ跳ね上がり、ＩＣＧ撮影モードのとき破線位置に切り換わり、撮影スイッチ１５の操作に拘わらず破線位置に停止した状態となる。
【００２８】
情報光学系学系１７０は、後述するタイマ２３,５７,１５７の計時時間を表示する７セグメントＬＥＤが設けられた表示部１７１と、結像レンズ１７２と、ミラー１７３とを備えており、表示部１７１とフィルム３１とが結像レンズ１７２に対して共役関係にあり、クイックリターンミラー１５１が破線位置へ跳ね上がったとき表示部１７１の像がフィルム３１面上に結像される。そして、結像レンズ１７２とミラー１７３とで、表示部１７１の像をファインダ光学系１５０にリレーするリレー光学系を構成している。
【００２９】
観察光学系１２０は、眼底で反射された照明光束を対物レンズ１１２,孔開きミラー１１１,合焦レンズ１２４および撮影レンズ１２５を介してクイックリターンミラー１５１へ導く。クイックリターンミラー１５１が実線位置にあるとき、眼底の反射光束がクイックリターンミラー１５１で反射して視野レンズ１５２および切換ミラー１５３を介して接眼レンズ１５４に達する。これにより、ファインダ光学系１５０を介して眼底を観察することできる。一方、表示部１７１から発せられた光束は結像レンズ１７２,ミラー１７３,クイックリターンミラー１５１,視野レンズ１５２および切換ミラー１５３を介して接眼レンズ１５４に達するので、図２に示すように、表示部１７１に表示されるタイマ２３,５７,１５７の計時時間を眼底像Ｅrとともに観察することができる。
【００３０】
クイックリターンミラー１５１が鎖線位置へ跳ね上げられると、眼底の反射光束はフィルムＦ面上に達し、このフィルムＦ面上に眼底像が結像され眼底が撮影される。このとき、表示部１７１から発せられた光束も結像レンズ１７２およびミラー１７３を介してフィルムＦ面上に達するので、図２に示す状態で眼底像Ｅrとタイマの計時時間とが撮影されることになる。
【００３１】
ＴＶリレーレンズユニット５０は、リレーレンズ７１と、結像レンズ７２と、切換ミラー７３と、リレーレンズ７４と、ミラー７５とを備えている。切換ミラー７３は、選択スイッチＳ3によってＴＶカメラ５４が選択されると実線位置から破線位置へ切り換わり、選択スイッチＳ3によってＴＶカメラ５３が選択されると実線位置へ切り換わる。一方、切換ミラー１５３は、選択スイッチＳ3によってＴＶカメラ５４が選択されると破線位置へ切り換わるようになっている。
【００３２】
切換ミラー１５３が破線位置に切り換わると、クイックリターンミラー１５１に達した眼底の反射光束は視野レンズ１５２,リレーレンズ５１,結像レンズ５２および切換ミラー７３を介してＴＶカメラ５３の撮像素子５３Ａに達し、この撮像素子５３Ａ上に眼底像が結像され、ＴＶカメラ５３によって眼底像が撮像される。
【００３３】
切換ミラー１５３および切換ミラー７３が破線位置へ切り換わると、クイックリターンミラー１５１に達した眼底の反射光束は視野レンズ１５２,リレーレンズ５１,結像レンズ５２,リレーレンズ５４およびミラー５５を介してＴＶカメラ５４の撮像素子５４Ａに達し、この撮像素子５４Ａ上に眼底像が結像され、ＴＶカメラ５４によって眼底像が撮像される。なお、ＴＶカメラ５３,５４では、図２に示す鎖線の範囲を撮像するもので、表示部１７１に表示される計時時間は撮像されない。
【００３４】
次に、上記実施形態の眼底カメラの動作について説明する。
【００３５】
先ず、図示しないメインスイッチを投入する。すると、照明光学系１００のハロゲンランプ１０１が点灯し眼底が照明される。この眼底の照明によりファインダ光学系１５０を通して眼底が観察される。そして、撮影モード設定スイッチＳ1により通常モードを設定し、撮影スイッチ１５を押せば、クイックリターンミラー１５１が跳ね上がるとともにキセノンランプ１０３が発光して眼底が３５mmカメラ１８により撮影されていく。
【００３６】
ＩＣＧ撮影する場合には、先ず、撮影モード設定スイッチＳ1によりＩＣＧ撮影モードを設定し、選択スイッチＳ3によりＴＶカメラ５４を選択する。ＩＣＧ撮影モードが設定されると、エキサイタフィルタ１０７およびバリアフィルタ１２３が光路に挿入され、ＴＶカメラ５４の選択により切換ミラー７３,１５３が破線位置へ切り換えられる。次に、被検者Ａに蛍光剤を静注するとともにタイマスイッチＳ2を押す。このタイマスイッチＳ2が押されると、制御装置２４は外部タイマ１５７の計時をスタートさせるとともに外部タイマ１５７の計時時間を表示部２２,１７１に表示させる。
【００３７】
表示部２２に外部タイマ１５７の計時時間が表示されることにより、検者は、表示部２２を見れば外部タイマ１５７の計時時間を確認することができる。このため、検者はビデオ装置１５８に設けられた表示部(図示せず)を覗き込む必要はない。
【００３８】
撮影スイッチ１５が操作されると、ＴＶカメラ５４によってＩＣＧ撮影が行われていき、ＴＶカメラ５４によって撮像された赤外蛍光眼底像に外部タイマ１５７の計時時間がスーパーインポーズされてビデオ装置１５８に記録されていく。このＩＣＧ撮影モードでは、一回目の撮影スイッチ１５の操作で撮影が開始され、２回目の撮影スイッチ１５の操作で撮影が停止される。
【００３９】
ＦＡＧ撮影する場合には、撮影モード設定スイッチＳ1によりＦＡＧ撮影モードを設定し、選択スイッチＳ3によってＴＶカメラ５３を選択する。ＦＡＧ撮影モードが設定されると、エキサイタフィルタ１０６およびバリアフィルタ１２２が光路に挿入され、ＴＶカメラ５３の選択により切換ミラー７３,１５３が実線位置へ切り換わる。
【００４０】
そして、被検者Ｂに蛍光剤を静注するとともにタイマスイッチＳ2を押す。このタイマスイッチＳ2が押されると、制御装置２４はスチルビデオ装置５６の内蔵タイマ５７の計時をスタートさせるとともに内蔵タイマ５７の計時時間を表示部２２,１７１に表示させる。
【００４１】
検者は、表示部２２を見ることにより外部タイマ５７の計時時間を確認することができ、スチルビデオ装置５６の表示部を覗き込む必要がない。
【００４２】
ＦＡＧ撮影モードの設定により、エキサイタフィルタ１０６およびバリアフィルタ１２２が光路に挿入されているとともに切換ミラー７３が実線位置へ切り換わっていることにより、眼底が所定波長の可視光により照明されてＴＶカメラ５３により可視蛍光撮影が可能となる。また、切換ミラー１５３が実線位置へ切り換わっていることにより、検者は、蛍光眼底をファインダ光学系１５０を通して観察することができる。
【００４３】
この場合、内蔵タイマ５７の計時時間が表示部１７１に表示されているので、蛍光眼底を観察しながら表示部１７１の計時時間を確認することができ、ファインダ光学系１５０から目を離してスチルビデオ装置５６の表示部を覗き込む必要がない。
【００４４】
検者は、ファインダ光学系１５０を通して蛍光眼底を観察しながら撮影スイッチ１５を押していく。撮影スイッチ１５が押される毎に切換ミラー１５３が破線位置へ跳ね上がり、可視蛍光眼底像がＴＶカメラ５３によって撮像されていく。ＴＶカメラ５３によって撮像された可視蛍光眼底像は、内蔵タイマ５７の計時時間がスーパーインポーズされてスチルビデオ装置５６に記録されていく。
【００４５】
３５mmカメラ３０でＦＡＧ撮影を行う場合には、撮影モード設定スイッチＳ1によりＦＡＧ撮影モードを設定し、選択スイッチＳ3により３５mmカメラ３０を選択する。ＦＡＧ撮影モードの設定により、上記と同様に、エキサイタフィルタ１０６およびバリアフィルタ１２２が光路に挿入され、３５mmカメラ３０の選択により切換ミラー１５３が実線位置へ切り換わる。
【００４６】
そして、被検者ＣにＦＡＧ撮影用の蛍光剤を静注してタイマスイッチＳ2を押す。このタイマスイッチＳ2が押されると、制御装置２４は内部タイマ２３の計時をスタートさせるとともに内部タイマ２３の計時時間を表示部２２,１７１に表示させる。切換ミラー１５３が実線位置へ切り換えられることにより、検者は、蛍光眼底をファインダ光学系１５０を通して観察することができる。
【００４７】
この場合、内部タイマ２３の計時時間が表示部１７１に表示されているので、蛍光眼底を観察しながら表示部１７１の計時時間を確認することができる。
【００４８】
そして、検者は、ファインダ光学系１５０を通して蛍光眼底を観察しながら撮影スイッチ１５を押していく。撮影スイッチ１５が押される毎にクイックリターンミラー１５１が破線位置へ跳ね上がり、可視蛍光眼底像が３５mmカメラ３０によって撮影されていく。３５mmカメラ３０は、図２に示すように、可視蛍光眼底像Ｅrとともに表示部１７１の計時時間も撮影していくことになる。
【００４９】
このように、選択スイッチＳ3によりカメラ３０,５３,５４を選択してタイマスイッチＳ2を操作すれば、選択されたカメラ３０,５３,５４のタイマ２３,５７,１５７がスタートするので、各タイマ２３,５７,１５７のスタートスイッチ(図示せず)を操作する必要がなく、非常に操作性のよいものとなる。
【００５０】
また、選択スイッチによりＴＶカメラ５３や３５mmカメラ３０を選択すると、切換ミラー１５３が実線位置に切り換えられるので眼底をファインダ光学系１５０を通して観察することができる。この場合も、内部タイマ２３の計時時間が表示部１７１に表示されるので、蛍光眼底とともに表示部１７１の計時時間をファインダ光学系１５０を通して確認することができ、非常に便利である。
【００５１】
ところで、再度、被検者Ａの蛍光眼底像を撮影する場合には、撮影モード設定スイッチＳ 1によりＩＣＧ撮影モードを設定し、選択スイッチＳ3によりＴＶカメラ５４を選択する。ＩＣＧ撮影モードが設定されると、エキサイタフィルタ１０７およびバリアフィルタ１２３が光路に挿入され、ＴＶカメラ５４の選択により切換ミラー５３,１５３が破線位置へ切り換わるとともに、外部タイマ１５７の計時時間が表示部２２,１７１に表示される。そして、撮影スイッチ１５が操作されると、ＴＶカメラ５４によってＩＣＧ撮影が行われていき、ＴＶカメラ５４によって撮像された赤外蛍光眼底像に外部タイマ１５７の計時時間がスーパーインポーズされてビデオ装置１５７に記録されていく。
【００５２】
同様に、再度、被検者Ｂの蛍光眼底像を撮影する場合には、撮影モード設定スイッチＳ1によりＦＡＧ撮影モードを設定し、選択スイッチＳ3によりＴＶカメラ５３を選択する。ＦＡＧ撮影モードの設定によりエキサイタフィルタ１０６およびバリアフィルタ１２２が光路に挿入され、ＴＶカメラ５３の選択により切換ミラー７３,１５３が実線位置へ切り換わる。他方、スチルビデオ装置５６の内蔵タイマ５７の計時時間が表示部２２,１７１に表示される。
【００５３】
そして、撮影スイッチ１５が押される毎に切換ミラー１５３が破線位置へ跳ね上がり、可視蛍光眼底像がＴＶカメラ５３によって撮像されていく。ＴＶカメラ５３によって撮像され可視蛍光眼底像は、内蔵タイマ５７の計時時間がスーパーインポーズされてスチルビデオ装置５６に記録されていく。
【００５４】
被検者Ｃの蛍光眼底像を再度撮影する場合も上記と同様なので、その説明は省略する。
【００５５】
このように、選択スイッチＳ3によりカメラ３０,５３,５４が選択されると、表示部２２,１７１の計時時間の表示が切り換わって、この選択されたカメラ３０,５３,５４に使用されているタイマ２３,５７,１５７の計時時間が表示部２２,１７１に表示されるので、検者は表示部２２,１７１を見るだけで現在撮影を行っているカメラ３０,５３,５４のタイマ２３,５７,１５７の計時時間を確認することができる。このため、検者は計時時間の確認のためにビデオ装置５６,１５８の表示部をいちいち覗き込む必要がなく、しかも確認位置が同じであることにより非常に使用勝手のよいものとなる。
【００５６】
【効果】
この発明によれば、撮影装置選択手段により撮影装置を選択すれば、タイマ操作手段がその選択に応じた所定のタイマを操作するので、各タイマの各操作スイッチを操作する必要がなく、非常に操作性のよいものとなる。
【００５７】
また、タイマ操作手段によって選択された所定のタイマーの計時時間を目視するための計時時間目視手段を装置本体に設けたものであるから、検者は計時時間目視手段によって現在撮影を行っている撮影装置のタイマの計時時間を確認することができ、このため、検者は計時時間の確認のために外部タイマ等の表示部をいちいち覗き込む必要がなく、しかも確認位置が同じとなるので、非常に使用勝手のよいものとなる。
【図面の簡単な説明】
【図１】この発明に係る眼底カメラの構成を示した説明図である。
【図２】ファインダ光学系の視野範囲を示した説明図である。
【符号の説明】
２３                   内部タイマ
２４                   制御装置
３０                   ３５mmカメラ
５３                   可視蛍光撮影用ＴＶカメラ
５４                   赤外蛍光撮影用ＴＶカメラ
５７                   内蔵タイマ
Ｓ3                    選択スイッチ
【図１】
0003895036.tif 000002
【図２】
0003895036.tif 000003